(57)【特許請求の範囲】
【請求項１】
収穫物を掘り取る掘取体と、この掘取体にて掘り取られた収穫物を搬送するコンベヤと、このコンベヤから搬出される収穫物を排出するシュートとを具備し、
前記コンベヤは、前記掘取体の後端側の両端部にそれぞれ回転可能に設けられた回転輪と、この回転輪の後方に位置して回転可能に設けられ駆動輪を両端部に固着した駆動軸と、前記回転輪と前記駆動輪との間に掛け回され前記駆動輪の回転で移動され土をふるい落とす間隔をおいて並設された搬送杆を有する無端搬送体とを備え、
前記駆動軸に前記無端搬送体の搬送杆の間に挟まった収穫物を押し出す収穫物押出体を設け、
前記収穫物押出体は、前記駆動軸の両端部に固着した駆動輪にそれぞれ固着された円板状端板と、これら円板状端板の周縁部間に間隔をおいて並設固定され前記駆動軸の周囲を折返す各搬送杆の間に位置する収穫物押出棒とを有し、
前記駆動軸は、この駆動軸の両端部にフランジをそれぞれ有し、前記駆動輪は、周縁部から突出し前記搬送杆に係合してこの搬送杆を移動させる係合爪及びこの周縁部に開口した半径方向の嵌合凹部をそれぞれ有し、この嵌合凹部内に前記駆動軸を嵌合した状態で前記フランジに前記駆動輪を着脱可能に固着する
ことを特徴とする掘取機。
【請求項２】
収穫物押出棒を周縁部間に並設固定した円板状端板は、周縁部に開口した半径方向の嵌合凹部をそれぞれ有し、これら嵌合凹部内に前記駆動軸を嵌合した状態で前記駆動輪に着脱可能に固着する
ことを特徴とする請求項１記載の掘取機。
【請求項３】
収穫物押出棒の外周面を弾性材で被覆する
ことを特徴とする請求項１または２記載の掘取機。
【発明の詳細な説明】
【０００１】
【発明の属する技術分野】
本発明は、たとえば、馬鈴薯、球根等の地下塊茎類の収穫物を収穫する掘取機に関する。
【０００２】
【従来の技術】
従来、この種の掘取機としては、たとえば、収穫物を掘り取る掘取体を設け、この掘取体にて掘り取られた収穫物を搬送するコンベヤを設け、このコンベヤから搬出される収穫物を排出するシュートを設け、前記コンベヤは、前記掘取体の後端側に回転可能に設けられた回転輪と、この回転輪の後方に位置して回転可能に設けられ駆動輪を両端部に固着した駆動軸と、前記回転輪と前記駆動輪との間に掛け回され前記駆動輪の回転で移動され土をふるい落とす間隔をおいて並設された搬送杆を有する無端搬送体とを備えた構成が知られている。
【０００３】
【発明が解決しようとする課題】
前記従来の掘取機の構成では、掘取体にて掘り取られた収穫物が無端搬送体の各搬送杆にてこの各搬送杆の間から土をふるい落としながら搬送されるが、この収穫物が、たとえば、偏平状のメークイン、球根等の非球形状であるときは、この収穫物が各搬送杆の間に挟まった状態のまま搬送され易く、無端搬送体からシュートに収穫物がスムーズに搬出されないことがあり、また、収穫物が各搬送杆の間に挟まった状態のまま無端搬送体が搬出側折返し部から折返されると、この搬出側折返し部で収穫物がシュートに当接し、このシュートに当接する衝撃で収穫物が損傷され易い、という問題がある。
【０００４】
そこで、駆動軸の周囲に無端搬送体が周面に沿って移動する円筒状カラーを設け、この円筒状カラーの周面で各搬送杆の間に挟まった状態で搬送される収穫物を各搬送杆の間から押し出す構成が考えられるが、この構成では、各搬送杆の間からふるい落とされる土が円筒状カラーの周面に溜まり易く、この円筒状カラーの周面に溜まった土で無端搬送体の移動が困難になる、という問題がある。
【０００５】
本発明は、このような点に鑑みてなされたもので、各搬送杆の間からふるい落とされる土が収穫物押出体の周面に溜まることを防止して各搬送杆の間に挟まった状態で搬送される収穫物を各搬送杆の間から確実に押し出し、無端搬送体からシュート上に収穫物をスムーズに搬出できる掘取機を提供することを目的とするものである。
【０００６】
【課題を解決するための手段】
請求項１記載の掘取機は、収穫物を掘り取る掘取体と、この掘取体にて掘り取られた収穫物を搬送するコンベヤと、このコンベヤから搬出される収穫物を排出するシュートとを具備し、前記コンベヤは、前記掘取体の後端側の両端部にそれぞれ回転可能に設けられた回転輪と、この回転輪の後方に位置して回転可能に設けられ駆動輪を両端部に固着した駆動軸と、前記回転輪と前記駆動輪との間に掛け回され前記駆動輪の回転で移動され土をふるい落とす間隔をおいて並設された搬送杆を有する無端搬送体とを備え、前記駆動軸に前記無端搬送体の搬送杆の間に挟まった収穫物を押し出す収穫物押出体を設け、前記収穫物押出体は、前記駆動軸の両端部に固着した駆動輪にそれぞれ固着された円板状端板と、これら円板状端板の周縁部間に間隔をおいて並設固定され前記駆動軸の周囲を折返す各搬送杆の間に位置する収穫物押出棒とを有し、前記駆動軸は、この駆動軸の両端部にフランジをそれぞれ有し、前記駆動輪は、周縁部から突出し前記搬送杆に係合してこの搬送杆を移動させる係合爪及びこの周縁部に開口した半径方向の嵌合凹部をそれぞれ有し、この嵌合凹部内に前記駆動軸を嵌合した状態で前記フランジに前記駆動輪を着脱可能に固着するものである。
【０００７】
そして、掘取体が土を掘り起こしながら進行することにより、この掘取体にて収穫物が順次掘り出され、この掘取体にて掘り出された収穫物が掘取体からコンベヤの無端搬送体の各搬送杆上に順次搬入され、この無端搬送体の各搬送杆にてこれら各搬送杆の間から土をふるい落としながら収穫物が搬送される。
【０００８】
また、掘取体からコンベヤの無端搬送体の各搬送杆上に順次搬入された収穫物が各搬送杆の間に挟まった状態で収穫物押出体の周面に搬送されると、この収穫物押出体の各収穫物押出棒にて各搬送杆の間に挟まった収穫物がこれら各搬送杆の間から押し出され、これら収穫物が無端搬送体の搬出側折返し部からシュート上にスムーズに搬出され、このシュートから収穫物が地面に排出される。
【０００９】
このとき、収穫物押出体の各収穫物押出棒が駆動軸の周囲を折返す各搬送杆の間に位置する状態で移動することにより、この各収穫物押出棒にて無端搬送体の各搬送杆の間に挟まった状態で搬送される収穫物がこれら各搬送杆の間から確実に押し出される。
【００１０】
また、各搬送杆の間からふるい落とされる土が収穫物押出体の各収穫物押出棒の間から更にふるい落とされ、この収穫物押出体の周面に各搬送杆の間からふるい落とされる土が溜まることがなく、無端搬送体の移動が困難になることを防止できる。
【００１１】
さらに、無端搬送体の搬出側折返し部の内側に駆動軸を軸支したままの状態で、この駆動軸に嵌合凹部から駆動輪が簡単に嵌合され、この嵌合凹部内に駆動軸を嵌合した状態でこの駆動軸のフランジに駆動輪が確実に固着される。
【００１２】
また、駆動軸にて駆動輪が回転されると、この駆動輪の周縁部に突出した係合爪が無端搬送体の各搬送杆に順次係合して、これら係合爪にて無端搬送体の各搬送杆が順次確実に移動される。
【００１３】
また、駆動輪の周縁部に突出した係合爪が折損する等駆動輪に不測の事態が生じたときは、無端搬送体の搬出側折返し部の内側に駆動軸を軸支したままの状態で、駆動輪を簡単に着脱交換できる。
【００１４】
請求項２記載の掘取機は、請求項１記載の掘取機において、収穫物押出棒を周縁部間に並設固定した円板状端板は、周縁部に開口した半径方向の嵌合凹部をそれぞれ有し、これら嵌合凹部内に前記駆動軸を嵌合した状態で前記駆動輪に着脱可能に固着するものである。
【００１５】
そして、無端搬送体の搬出側折返し部の内側に駆動軸を軸支したままの状態で、この駆動軸に嵌合凹部から円板状端板がそれぞれ簡単に嵌合され、この嵌合凹部内に駆動軸を嵌合した状態でこの駆動軸のフランジに固着された駆動輪に円板状端板がそれぞれ確実に固着される。
【００１６】
また、既存の掘取機に設けられたコンベヤの無端搬送体の搬出側折返し部の内側に軸支された駆動軸に円板状端板がそれぞれ簡単に嵌合され、この嵌合凹部内に駆動軸を嵌合した状態でこの駆動軸のフランジに固着された駆動輪に円板状端板がそれぞれ確実に固着される。
【００１７】
請求項３記載の掘取機は、請求項１または２記載の掘取機において、収穫物押出棒の外周面を弾性材で被覆するものである。
【００１８】
そして、収穫物押出棒にて無端搬送体の各搬送杆の間に挟まった状態で搬送される収穫物を押し出すとき、この収穫物押出棒の外周面を被覆した弾性材にて収穫物を損傷することなく各搬送杆の間から収穫物を押し出すことができる。
【００１９】
【発明の実施の形態】
以下、本発明の実施の形態を図面を参照して説明する。
【００２０】
図１及び図２において、１は掘取機で、この掘取機１は、機体２と、収穫物を掘り取る掘取体３と、この掘取体３にて掘り取られた収穫物を搬送するコンベヤ４と、このコンベヤ４から搬出される収穫物を排出するシュート５とを具備している。
【００２１】
そして、前記機体２は、主フレーム６と、ミッション装置７と、連結機枠８と、板状側枠９とを有し、前記主フレーム６は前記掘取機１の進行方向に対して左右方向を長手方向とした中空筒状部材にて形成されている。
【００２２】
また、前記ミッション装置７は、前記主フレーム６の中間部に固定されたミッションケース10に入力軸11が回転自在に軸支され、この入力軸11にて回転される出力軸12が前記ミッションケース10及びこのミッションケース10の一側部から前記主フレーム６内に回転自在に軸支され、前記ミッションケース10内において前記入力軸11に固定されたベベルギヤ13に前記出力軸12に固定されたベベルギヤ14が噛合されている。
【００２３】
また、前記連結機枠８は、前記主フレーム６の両側部からそれぞれ前下方に向かって突出されたロワアーム15と、前記ミッションケース10の上部から前方に向かって突出されたトップアーム16とを有し、前記ロワアーム15の先端部にロワピン17がそれぞれ設けられ、前記トップアーム16の先端部にトップピン18が設けられている。また、前記両ロワアーム15と前記トップアーム16とは連結片19にて連結されている。
【００２４】
さらに、前記板状側枠９は、前記主フレーム６の両端部に相対してそれぞれ固定され、これら板状側枠９の前側下端部に前方に向かって突出した取付板20が相対してそれぞれ固定されている。
【００２５】
つぎに、前記掘取体３は、前記相対する取付板20間に前下方に向かって傾斜して突出した状態で固定され、この掘取体３は先端を山形状に形成した先金板にて形成されている。
【００２６】
つぎに、前記コンベヤ４は、前記掘取体３の後端側の両端部にそれぞれ回転可能に設けられた回転輪21と、この回転輪21の後方に位置して回転可能に設けられ駆動輪22を両端部に固着した駆動軸23と、前記回転輪21と前記駆動輪22との間に掛け回され前記駆動輪22の回転で移動され土をふるい落とす間隔をおいて並設された搬送杆24を有する無端搬送体25とを備え、さらに、前記無端搬送体24の搬送面及び非搬送面を張設するテンションローラ26を備えている。
【００２７】
そして、前記回転輪21は、前記掘取体３の後端側に位置して前記相対する取付板20及び板状側枠９からそれぞれ内側に向かって対向して突出された支軸27にてそれぞれ回転自在に軸支され、この両端部の回転輪21は、前記駆動軸23の両端部の駆動輪22に対向した位置でそれぞれ回転可能に軸支されている。また、前記回転輪21はローラにて形成されている。
【００２８】
また、前記駆動輪22を両端部に固着した駆動軸23は、前記支軸27より後側上方に位置して前記相対する板状側枠９の後端部間に回転自在に軸支されている。また、前記駆動軸23は、図３に示すように、この駆動軸23の両端部に円板状に一体に形成されたフランジ28をそれぞれ有し、これらフランジ28の周縁部に周面に雌ねじを有する複数のねじ孔29がそれぞれ形成されている。
【００２９】
また、前記駆動輪22は、図３に示すように、周縁部30から突出し前記各搬送杆24に係合してこれら搬送杆24を移動させる係合爪31及びこの周縁部30に開口した半径方向の嵌合凹部32をそれぞれ有している。
【００３０】
そして、前記係合爪31は、前記駆動輪22の周縁部30に前記各搬送杆24に順次係合してこれら搬送杆24を移動させる間隔をおいてこの周縁部30から複数突出されている。
【００３１】
また、前記嵌合凹部32は、前記周縁部30に開口し前記駆動軸23を嵌合する嵌合口33及びこの嵌合口33に連通し駆動輪22の中心部に前記駆動軸23を嵌合する嵌合部34をそれぞれ有している。また、前記嵌合部34の周縁部に前記フランジ28に形成された複数のねじ孔29にそれぞれ連通する複数のボルト挿通孔35が形成されている。
【００３２】
そして、前記嵌合凹部32の嵌合部34内に前記駆動軸23を嵌合した状態で前記フランジ28に前記駆動輪22がそれぞれ着脱可能に固着されるようになっている。また、前記駆動輪22はスプロケットにて形成されている。
【００３３】
さらに、前記無端搬送体25は、図１及び図３に示すように、無端状に順次軸支される複数のリンクプレート36と、これらリンクプレート36を無端状に順次軸支して土をふるい落とす間隔をおいて並設される前記複数の搬送杆24とを有している。
【００３４】
そして、前記複数の搬送杆24は、前記掘取機１の進行方向に対して左右方向をそれぞれ軸方向とし、これら搬送杆24の両端部に前記各リンクプレート36の両端部を互いに重ね合わせた状態でこれら重ね合わ部がそれぞれ回動自在に軸支され、前記複数の搬送杆24及びこれら搬送杆24の両端部に軸支された複数のリンクプレート36にて前記無端搬送体25が形成されている。
【００３５】
また、前記テンションローラ26は前記無端搬送体25の搬送面及びこの搬送面が前記両駆動輪22から下方に向かって折返し移動する非搬送面を張設する所定の位置に位置して前記相対する板状側枠９にそれぞれ回転自在に軸支されている。
【００３６】
つぎに、前記駆動軸23に前記無端搬送体25の各搬送杆24の間に挟まった収穫物をこれら搬送杆24の間から押し出す収穫物押出体37が設けられている。
【００３７】
前記収穫物押出体37は、図１に示すように、前記駆動軸23の両端部に固着した駆動輪22にそれぞれ固着された円板状端板38と、これら円板状端板38の周縁部40間に間隔をおいて並設固定され前記駆動軸23の周囲を折返す前記各搬送杆24の間に位置する状態で移動する収穫物押出棒39とを有している。
【００３８】
そして、図３に示すように、前記円板状端板38は、周縁部40に開口した半径方向の嵌合凹部41をそれぞれ有し、前記嵌合凹部41は、前記周縁部40に開口し前記駆動軸23を嵌合する嵌合口42及びこの嵌合口42に連通し円板状端板38の中心部に前記駆動軸23を嵌合する嵌合部43をそれぞれ有している。
【００３９】
また、前記嵌合部43の周縁部に前記フランジ28に形成された複数のねじ孔29及び前記駆動輪22に形成された複数のボルト挿通孔35にそれぞれ連通する複数のボルト挿通孔44が形成されている。
【００４０】
そして、図４及び図５に示すように、前記嵌合凹部41の嵌合部43内に前記駆動軸23を嵌合した状態で前記駆動輪22に前記両円板状端板38がそれぞれ着脱可能に固着され、すなわち、前記両円板状端板38に形成された各ボルト挿通孔44から前記駆動輪22に形成された各ボルト挿通孔35及び前記フランジ28に形成された各ねじ孔29に複数の固定ボルト45を挿通して螺着し、これら固定ボルト45にて前記両フランジ28に前記両駆動輪22が、この両駆動輪22に両円板状端板38がそれぞれ着脱可能に固着されている。
【００４１】
また、前記各収穫物押出棒39の外周面を弾性材46で被覆している。前記各収穫物押出棒39は丸棒にて形成されている。
【００４２】
そして、前記駆動軸23の両端部の駆動輪22に固着する相対する円板状端板38と、これら円板状端板38の周縁部40間に間隔をおいて並設固定された前記収穫物押出棒39とにて前記収穫物押出体37が前記駆動軸23の両端部の駆動輪22に着脱可能に固着されるユニットとして形成されている。
【００４３】
つぎに、前記シュート５は、図１及び図４に示すように、前記無端搬送体25の搬送面の搬出側折返し部47から所定の間隔で離間した状態で前記相対する板状側枠９に固定されている。
【００４４】
そして、前記シュート５は、前記相対する板状側枠９の後端部間に固定された固定杆48と、この固定杆48にこの固定杆48の軸方向に土をふるい落とす間隔をおいて並設固定された案内杆49とを有し、これら案内杆49がそれぞれ前記固定杆48から後方に向かって突出されている。
【００４５】
また、前記相対する板状側枠９の後端部に前記シュート５上に搬出される収穫物をこのシュート５の中間部の案内杆49に向かう方向に案内する案内側板50がそれぞれ固定されている。
【００４６】
つぎに、図１及び図２に示すように、前記コンベヤ４の駆動軸23の一端部にプーリ51が固定され、前記主フレーム６から突出された前記出力軸12の一端部にプーリ52が固定され、前記駆動軸23の一端部のプーリ51と前記出力軸12の一端部のプーリ52との間に無端ベルト53が掛け回されている。
【００４７】
また、前記板状側枠９に前記無端ベルト53に係合したテンションローラ54が回転自在に軸支され、このテンションローラ54は前記無端ベルト53を常時緊張させる方向に向かってコイルばね55にて附勢されている。
【００４８】
そして、前記出力軸12からの出力によりプーリ51，52及び無端ベルト53を介して前記駆動軸23が回転され、この駆動軸23の両端部に固定した駆動輪22にて前記無端搬送体25が移動され、この無端搬送体25の搬送面が後上方に向かって移動されるようになっている。
【００４９】
なお、図中56は前記相対する板状側枠９にそれぞれ上下方向に位置調節可能に取り付けられた接地体で、これら接地体56は地面に接地して地面を滑動するそり体にて形成されている。
【００５０】
つぎに、前記実施の形態の作用を説明する。
【００５１】
トラクタの左右のロワリンクに掘取機１の左右のロワアーム15に設けたロワピン17をそれぞれ連結し、トラクタのトップリンクに掘取機１のトップアーム16に設けたトップピン18を連結し、さらに、トラクタのＰＴＯ軸に掘取機１に設けたミッション装置７の入力軸11を連結する。
【００５２】
つぎに、トラクタにて掘取機１が牽引され、トラクタのＰＴＯ軸から出力によりミッション装置７の入力軸11が回転されるとともに、この入力軸11にて出力軸12が回転され、この出力軸12から出力により無端ベルト53を介してコンベヤ４の駆動軸23が回転駆動され、この駆動軸23の両端部に固着した駆動輪22にてコンベヤ４の無端搬送体25が回行され、この無端搬送体25の搬送面が後上方に向かって移動される。
【００５３】
そして、この状態で、掘取体３が土を掘り起こしながら進行することにより、この掘取体３にて土中から収穫物Ａが順次掘り出され、この掘取体３にて掘り出された収穫物Ａが掘取体３からコンベヤ４の無端搬送体25の搬送面の各搬送杆24上に順次搬入され、この無端搬送体25の各搬送杆24にてこれら各搬送杆24の間から土をふるい落としながら収穫物Ａが搬送される。
【００５４】
また、掘取体３からコンベヤ４の無端搬送体25の各搬送杆24上に順次搬入された収穫物Ａが各搬送杆24の間に挟まった状態で収穫物押出体37の周面に搬送されると、図６に示すように、この収穫物押出体37の各収穫物押出棒39にて各搬送杆24の間に挟まった収穫物Ａがこれら各搬送杆24の間から押し出され、これら収穫物Ａが無端搬送体25の搬出側折返し部47からシュート５上にスムーズに搬出され、このシュート５から収穫物Ａが地面に排出される。
【００５５】
このとき、収穫物押出体37の各収穫物押出棒39が駆動軸23の周囲を折返す各搬送杆24の間に位置する状態で移動することにより、この各収穫物押出棒39にて無端搬送体25の各搬送杆24の間に挟まった状態で搬送される収穫物Ａがこれら各搬送杆24の間から確実に押し出される。
【００５６】
このため、各搬送杆24の間に挟まり易い、たとえば、偏平状のメークイン、球根等の非球形状の収穫物Ａを搬送するときも、各搬送杆24の間に挟まった非球形状の収穫物Ａが収穫物押出体37の各収穫物押出棒39にて各搬送杆24の間から確実に押し出され、無端搬送体25の搬出側折返し部47で、収穫物Ａがシュート５の固定杆48に当接してその衝撃で収穫物Ａが損傷することがなく、また、無端搬送体25の搬出側折返し部47を折返し移動する搬送面とシュート５の固定杆48との間に収穫物Ａが引き込まれることを確実に防止できる。
【００５７】
また、無端搬送体25の各搬送杆24の間からふるい落される土が収穫物押出体37の各収穫物押出棒39の間から更に確実にふるい落とされ、この収穫物押出体37の周面に各搬送杆24の間からふるい落とされる土が溜まることがなく、各搬送杆24の間からふるい落とされる土で無端搬送体25の移動が困難になることを確実に防止できる。
【００５８】
つぎに、コンベヤ４の駆動軸23は、この駆動軸23の両端部にフランジ28をそれぞれ有し、駆動輪22は、この駆動輪22の周縁部30から突出し搬送杆24に係合してこの搬送杆24を移動させる係合爪31及びこの周縁部30に開口した半径方向の嵌合凹部32をそれぞれ有し、この嵌合凹部32内に前記駆動軸23を嵌合した状態で前記フランジ28に前記駆動輪22を着脱可能に固着することにより、無端搬送体25の搬出側折返し部47の内側に位置して駆動軸23を軸支したままの状態で、この駆動軸23に嵌合凹部32の嵌合口33から駆動輪22が簡単に嵌合され、この嵌合凹部32の嵌合部34内に駆動軸23を嵌合した状態でこの駆動軸23のフランジ28に駆動輪22が確実に固着される。
【００５９】
また、駆動軸23にて駆動輪22が回転されると、この駆動輪22の周縁部30から突出した係合爪31が無端搬送体25の各搬送杆24に順次係合して、これら係合爪31にて無端搬送体25の各搬送杆24が順次確実に移動される。
【００６０】
また、駆動輪22の周縁部から突出した係合爪31が折損する等駆動輪22に不測の事態が生じたときは、無端搬送体25の搬出側折返し部47の内側に位置して駆動軸23を軸支したままの状態で、駆動軸23から駆動輪22を引き抜くことにより、駆動輪22を簡単に着脱交換することができる。
【００６１】
つぎに、収穫物押出棒39を周縁部40間に並設固定した円板状端板38は、この円板状端板38の周縁部40に開口した半径方向の嵌合凹部41をそれぞれ有し、これら嵌合凹部41の嵌合部43内に前記駆動軸23を嵌合した状態で前記駆動輪22に着脱可能に固着することにより、無端搬送体25の搬出側折返し部47の内側に位置して駆動軸23を軸支したままの状態で、この駆動軸23に嵌合凹部41の嵌合口42から円板状端板38がそれぞれ簡単に嵌合され、この嵌合凹部41の嵌合部43内に駆動軸23を嵌合した状態でこの駆動軸23のフランジ28に固着された駆動輪22に円板状端板38がそれぞれ確実に固着される。
【００６２】
また、既存の掘取機１に設けられたコンベヤ４の無端搬送体25の搬出側折返し部47の内側に位置した駆動軸23に円板状端板38がそれぞれ簡単に嵌合され、この嵌合凹部41の嵌合部43内に駆動軸23を嵌合した状態でこの駆動軸23のフランジ28に固着された駆動輪22に円板状端板38がそれぞれ確実に固着される。
【００６３】
そして、円板状端板38の各ボルト挿通孔44から駆動輪22の各ボルト挿通孔35に固定ボルト45をそれぞれ挿通するとともに、これら固定ボルト45をフランジ28の各ねじ孔29に挿通して締着することにより、駆動軸23のフランジ28に駆動輪22及び円板状端板38が確実に固定される。
【００６４】
また、各固定ボルト45を引き抜くことにより、駆動軸23のフランジ28から駆動輪22及び円板状端板38を簡単に取り外すことができる。また、駆動軸23のフランジ28に駆動輪22及び円板状端板38を各固定ボルト45にて共締めすることにより、駆動軸23のフランジ28に対する駆動輪22及び円板状端板38の着脱交換が簡単であり、部品点数も少なく、製造性を向上することができる。
【００６５】
また、収穫物押出体37はユニットとして形成され、この収穫物押出体37の両端部の円板状端板38が両駆動輪22に対して着脱交換が簡単であるため、収穫物Ａの種類や大きさに応じて無端搬送体25の各搬送杆24の間の間隔が変更されても、その無端搬送体25の各搬送杆24間の間隔に応じて各搬送杆24の間に位置する状態で移動する収穫物押出棒39を備えた収穫物押出体37に簡単に着脱交換することができる。
【００６６】
つぎに、収穫物押出体37の各収穫物押出棒39の外周面を弾性材46で被覆することにより、各収穫物押出棒39にて無端搬送体25の各搬送杆24の間に挟まった状態で搬送される収穫物Ａを押し出すとき、この各収穫物押出棒39の外周面を被覆した弾性材46にて収穫物Ａを損傷することなく各搬送杆24の間から収穫物Ａを押し出すことができる。
【００６７】
【発明の効果】
請求項１の発明によれば、無端搬送体の各搬送杆の間からふるい落とされる土を収穫物押出体の各収穫物押出棒の間から更にふるい落とし、この収穫物押出体の周面に各搬送杆の間からふるい落とされる土が溜まることを確実に防止できるとともに、この収穫物押出体の各収穫物押出棒にて各搬送杆の間に挟まった状態で搬送される収穫物を各搬送杆の間から確実に押し出すことができ、無端搬送体からシュート上に収穫物をスムーズに搬出することができ、収穫物が各搬送杆の間に挟まった状態のままでシュートに当接して収穫物が損傷されることを確実に防止できる。また、無端搬送体の搬出側折返し部の内側に駆動軸を軸支した状態で、この駆動軸に駆動輪を簡単に嵌合でき、この駆動軸を嵌合した状態でこの駆動軸のフランジに駆動輪を確実に固着でき、また、駆動輪の周縁部に突出した係合爪にて無端搬送体の各搬送杆を確実に移動できる。また、駆動輪の周縁部面に突出した係合爪が折損する等駆動輪に不測の事態が生じたときは、無端搬送体の搬出側折返し部内に駆動軸を挿通した状態のままで、駆動輪を簡単に着脱交換できる。
【００６８】
請求項２の発明によれば、請求項１の発明の効果に加え、無端搬送体の搬出側折返し部の内側に駆動軸を軸支した状態で、この駆動軸に円板状端板をそれぞれ簡単に嵌合でき、この駆動軸を嵌合した状態でこの駆動軸のフランジに固着された駆動輪に円板状端板をそれぞれ確実に固着できる。また、既存の掘取機に設けられたコンベヤの無端搬送体の搬出側折返し部の内側に軸支された駆動軸に円板状端板をそれぞれ簡単に嵌合でき、この駆動軸を嵌合した状態でこの駆動軸のフランジに固着された駆動輪に円板状端板をそれぞれ確実に固着でき、既存の掘取機の性能を向上することができる。
【００６９】
請求項３の発明によれば、請求項１または２の発明の効果に加え、収穫物押出棒にて無端搬送体の各搬送杆の間に挟まった状態で搬送される収穫物を押し出すとき、この収穫物押出棒の外周面を被覆した弾性材にて収穫物を損傷することなく各搬送杆の間から収穫物を確実に押し出すことができる。
【図面の簡単な説明】
【図１】  本発明の一実施の形態を示す掘取機の平面図である。
【図２】  同上側面図である。
【図３】  同上無端搬送体を駆動する駆動部を示す一部の分解拡大斜視図である。
【図４】  同上組み立てた状態を示す一部の拡大平面図である。
【図５】  同上側面図である。
【図６】  同上収穫物を押し出す状態を示す説明図である。
【符号の説明】
３    掘取体
４    コンベヤ
５    シユート
21    回転輪
22    駆動輪
23    駆動軸
24    搬送杆
25    無端搬送体
28    フランジ
31    係合爪
32，41    嵌合凹部
37    収穫物押出体
38    円板状端板
39    収穫物押出棒
46    弾性材
Ａ    収穫物
【図１】
0004117978.tif 000002
【図２】
0004117978.tif 000003
【図３】
0004117978.tif 000004
【図４】
0004117978.tif 000005
【図５】
0004117978.tif 000006
【図６】
0004117978.tif 000007